(57)【特許請求の範囲】
【請求項１】
ガス栓本体のプラグ部に接続されたソケットを取り外すためのソケット取外し機構であって、
前記ガス栓本体に揺動可能に設けられ、この揺動支点の両側に被押圧部と作用部を有する揺動部材と、前記プラグ部の軸方向に移動可能な操作ユニットとを備え、前記操作ユニットを押し操作して前記揺動部材の前記被押圧部を押すことにより、前記揺動部材を揺動させ、前記作用部で前記プラグ部に接続されたソケットを前記押し操作方向と反対方向に押し出して取り外すようにしたソケット取外し機構において、
前記操作ユニットは、基端部が前記揺動部材の被押圧部に連結されるか当接される支持部材と、前記支持部材に連結される操作部材とを備え、前記支持部材が前記プラグ部の軸方向に延びる軸部を有し、前記操作部材が前記軸部を挿通させる挿通孔を有し、
前記軸部の外周に嵌合凸部が形成され、前記挿通孔の内周に前記軸方向に間隔をおいて嵌合凹部が複数形成され、
前記嵌合凹部が形成された前記挿通孔の内周には、軸方向に延びるとともに前記嵌合凹部に連なる逃げ凹部が形成され、
前記操作部材は、前記嵌合凸部が前記逃げ凹部に配置された状態で前記支持部材に対して軸方向に移動可能な第１回動位置と、前記嵌合凸部が前記嵌合凹部に嵌合される第２回動位置との間で、回動可能であり、
前記嵌合凸部が複数の前記嵌合凹部のいずれかに選択的に嵌合されることにより、前記操作ユニットの長さを調整可能とし、
前記嵌合凹部が周方向に細長い穴からなり、この穴は、その長手方向の基端部に前記逃げ凹部が連なり、その中間部に狭小部を有するとともに、その終端部に前記嵌合凸部を固定する固定部を有し、前記細長い穴の基端部と終端部は、前記挿通孔の軸方向における位置が同一であることを特徴とするソケット取外し機構。
【請求項２】
ガス栓本体のプラグ部に接続されたソケットを取り外すためのソケット取外し機構であって、
前記ガス栓本体に揺動可能に設けられ、この揺動支点の両側に被押圧部と作用部を有する揺動部材と、前記プラグ部の軸方向に移動可能な操作ユニットとを備え、前記操作ユニットを押し操作して前記揺動部材の前記被押圧部を押すことにより、前記揺動部材を揺動させ、前記作用部で前記プラグ部に接続されたソケットを前記押し操作方向と反対方向に押し出して取り外すようにしたソケット取外し機構において、
前記操作ユニットは、基端部が前記揺動部材の被押圧部に連結されるか当接される支持部材と、前記支持部材に連結される操作部材とを備え、前記支持部材が前記プラグ部の軸方向に延びる軸部を有し、前記操作部材が前記軸部を挿通させる挿通孔を有し、
前記挿通孔の内周に嵌合凸部が形成され、前記軸部の外周に前記軸方向に間隔をおいて嵌合凹部が複数形成され、
この嵌合凹部が形成された前記軸部の外周には、軸方向に延びるとともに前記嵌合凹部に連なる逃げ凹部が形成され、
前記操作部材は、前記嵌合凸部が前記逃げ凹部に配置された状態で前記支持部材に対して軸方向に移動可能な第１回動位置と、前記嵌合凸部が前記嵌合凹部に嵌合される第２回動位置との間で、回動可能であり、
前記嵌合凸部が複数の前記嵌合凹部のいずれかに選択的に嵌合されることにより、前記操作ユニットの長さを調整可能とし、
前記嵌合凹部が前記軸部の外周に周方向に延びて形成された嵌合溝からなり、この嵌合溝の終端部に前記嵌合凸部を固定する固定部が形成され、
前記嵌合凸部に形成された固定凸部が、前記固定部に形成された固定凹部に嵌合することにより、前記嵌合凸部は前記固定部に固定されることを特徴とするソケット取外し機構。
【請求項３】
前記軸部および前記挿通孔が断面円形をなし、前記挿通孔の内周が、前記軸部の外周に面接触する支持面として提供されることを特徴とする請求項１又は２に記載のソケット取外し機構。
【請求項４】
請求項１〜３のいずれか１項に記載のソケット取外し機構を備えた埋設型ガス栓。
【発明の詳細な説明】
【技術分野】
【０００１】
本発明は、壁面や床面に埋設される形式のガス栓及びそのガス栓のプラグ部に接続されたソケットを取り外す機構に関する。
【背景技術】
【０００２】
壁面や床面に設置された埋設型ガス栓においては、ガス栓本体を取り付けたケーシングを壁面や床面に開口した孔部に収納設置するとともに、ケーシングの前面開口部を化粧板によって遮蔽している。化粧板には、ガス栓等と対向する部分には窓部が設けられるとともに、窓部を開閉する蓋部が設けられている。
【０００３】
埋設型ガス栓において、旧来のつまみを回して開栓するガス栓から、プラグ部にソケット（迅速継手）を接続するだけで開栓するつまみのないガス栓への取り換えが行われてきている。つまみのないガス栓では、ソケットをプラグ部から取り外すには、窓部から露出する操作部材を押す。
簡単に説明すると、ガス栓本体には、揺動部材が揺動可能に設けられている、この揺動部材は、揺動支点の両側に被押圧部と作用部を有している。前記操作部材はプラグ部の軸線方向に移動可能であり、その基端が前記被押圧部に連結または当接されている。操作部材を指で押すと、前記揺動部材の前記被押圧部が揺動し、前記作用部が前記プラグ部に接続されたソケットを前記押し操作方向と反対方向に押し出し、取り外すようになっている。
【０００４】
旧来のガス栓から新しいガス栓に取り換えた場合、既存の配管とケーシングの位置によっては、新しいガス栓が壁面や床面に対して奥まって設置されたり、近接して設置されたりする場合がある。ガス栓が奥まると、操作部材を押せなくなり、ガス栓が近接すると、操作部材が窓部から突出しすぎるという問題があった。
【０００５】
このような問題を解決するため、特許文献１、２ではガス栓深さに合わせて長さを調節可能な操作ユニットが提案されている。この操作ユニットは、支持部材と、この支持部材に螺合された操作部材とを有している。これら支持部材と操作部材の螺合度合（螺合深さ）を調節することにより、長さが調節される。
【先行技術文献】
【特許文献】
【０００６】
【特許文献１】特開２００３−４２３２３号公報
【特許文献２】特開２００４−２０５０１５号公報
【発明の概要】
【発明が解決しようとする課題】
【０００７】
特許文献１、２では、操作部材を支持部材に対して回転させて、螺合度合を調整することで、操作ユニットの長さを微調整できるが、調整代が大きいと操作部材を多く回転させる必要があり、調整に多くの時間を要するという問題があった。
【課題を解決するための手段】
【０００８】
この発明は、ガス栓本体のプラグ部に接続されたソケットを取り外すためのソケット取外し機構であって、
前記ガス栓本体に揺動可能に設けられ、この揺動支点の両側に被押圧部と作用部を有する揺動部材と、前記プラグ部の軸方向に移動可能な操作ユニットとを備え、前記操作ユニットを押し操作して前記揺動部材の前記被押圧部を押すことにより、前記揺動部材を揺動させ、前記作用部で前記プラグ部に接続されたソケットを前記押し操作方向と反対方向に押し出して取り外すようにしたソケット取外し機構において、
前記操作ユニットは、基端部が前記揺動部材の被押圧部に連結されるか当接される支持部材と、前記支持部材に連結される操作部材とを備え、前記支持部材と操作部材の一方が前記プラグ部の軸方向に延びる軸部を有し、他方が前記軸部を挿通させる挿通孔を有し、
前記軸部の外周と前記挿通孔の内周のいずれか一方に第１嵌合部が形成され、他方に前記軸方向に間隔をおいて第２嵌合部が複数形成され、
前記第１嵌合部が複数の前記第２嵌合部のいずれかに選択的に嵌合されることにより、前記操作ユニットの長さを調整可能としたことを特徴とする。
この構成によれば、第１の嵌合部を複数の第２の嵌合部に選択的に嵌合させることにより、操作部材の長さの調整が簡易に短時間でできる。
【０００９】
好ましくは、前記第１嵌合部が嵌合凸部からなり、前記第２嵌合部が嵌合凹部からなり、この嵌合凹部が形成された前記軸部の外周又は前記挿通孔の内周には、軸方向に延びるとともに前記嵌合凹部に連なる逃げ凹部が形成され、前記操作部材は、前記嵌合凸部が前記逃げ凹部に配置された状態で前記支持部材に対して軸方向に移動可能な第１回動位置と、前記嵌合凸部が前記嵌合凹部に嵌合される第２回動位置との間で、回動可能である。
この構成によれば、操作部材を第１回動位置で支持部材に対して軸方向に移動させることにより、操作ユニットの長さを調節し、それから操作部材を第２回動位置へと回わして嵌合凸部と嵌合凹部を嵌合させることにより、操作部材と支持部材を簡単に連結することができる。
【００１０】
好ましくは、前記軸部および前記挿通孔が断面円形をなし、前記挿通孔の内周が、前記軸部の外周に面接触する支持面として提供される。
この構成によれば、操作部材を支持部材に安定して支持することができる。
【００１１】
操作ユニットの一例として、前記軸部の外周に前記嵌合凸部が形成され、前記挿通孔の内周に前記嵌合凹部と前記逃げ凹部が形成されている。
操作ユニットの他の例として、前記挿通孔の内周に前記嵌合凸部が形成され、前記軸部の外周に前記嵌合凹部と前記逃げ凹部が形成されている。
【００１２】
好ましくは、前記嵌合凹部が周方向に細長い長穴からなり、この長穴はその長手方向の中間部に狭小部を有するとともにその終端部に前記嵌合凸部を固定する固定部を有する。
この構成によれば、嵌合凸部と嵌合凹部をしっかりと結合することができる。
【００１３】
本発明の他の態様は、埋設型ガス栓において、前記ソケット取外し機構を備えている。
【発明の効果】
【００１４】
この発明では、操作ユニットの長さの調整が簡易に短時間でできる。
【図面の簡単な説明】
【００１５】
【図１】図１は、この発明の第１実施の形態を、プラグ部にソケットを接続した状態で示す縦断面図である。
【図２】図２は、同実施の形態において用いられている操作ユニットを示す背面図である。
【図３】図３は、同実施の形態を、蓋体を外した状態で示す平面図である。
【図４】図４は、同実施の形態において用いられている蓋体を、開閉蓋を開いた状態で示す平面図である。
【図５】図５は、同実施の形態を、蓋体を取り付けて開閉蓋を開いた状態で示す平面図である。
【図６】図６は、同実施の形態を、蓋体を取り付けて開閉蓋を開いた状態で示す縦断面図である。
【図７】図７は、同実施の形態を、蓋体を取り付けて開閉蓋を閉じた状態で示す平面図である。
【図８】図８は、同実施の形態を、蓋体を取り付けて開閉蓋を閉じた状態で示す縦断面図である。
【図９】図９は、同実施の形態において用いられているガス栓本体にアームが取り付けられた状態で示す背面図である。
【図１０】図１０は、同実施の形態において用いられているアームを示す図であって、図１０（Ａ）はその平面図、図１０（Ｂ）、（Ｃ）、（Ｄ）はそれぞれ図１０（Ａ）のＢ矢視、Ｃ矢視、Ｄ矢視図である。
【図１１】図１１は、同実施の形態において用いられている支持部材を示す図であって、図１１（Ａ）はその正面図、図１１（Ｂ）、（Ｃ）はそれぞれ図１１（Ａ）のＢ矢視、Ｃ矢視図である。
【図１２】図１２は、同実施の形態において用いられている支持部材を示す正面図である。
【図１３】図１３は、同実施の形態において用いられている支持部材を示す正面図である。
【図１４】図１４は、同実施の形態において用いられている押し釦を示す図であって、図１４（Ａ）はその正面図、図１４（Ｂ）、（Ｃ）、（Ｄ）はそれぞれ図１４（Ａ）のＢ矢視、Ｃ矢視、Ｄ矢視図である。図１４（Ｅ）は、図１４（Ｃ）のＥ−Ｅ線に沿う断面図である。図１４（Ｆ）は、図１４（Ａ）の背面図である。
【図１５】図１５は、同実施の形態において用いられている操作ユニットを押し釦と支持部材が固定されていない状態で示す図であって、図１５（Ａ）はその正面図、図１５（Ｂ）は図１５（Ａ）のＢ−Ｂ線に沿う断面図である。
【図１６】図１６は、同実施の形態において用いられている操作ユニットを押し釦と支持部材が固定された状態で示す図であって、図１６（Ａ）はその正面図、図１６（Ｂ）は図１６（Ａ）のＢ−Ｂ線に沿う断面図である。
【図１７】図１７は、同実施の形態においてアームへの操作ユニットの取り付けを説明するための平面図であって、図１７（Ａ）は、アームの取付穴に操作ユニットの取り付け部が差し込まれた状態を示す平面図、図１７（Ｂ）は、操作ユニットが位置決めされる位置まで移動した状態を示す平面図である。
【図１８】図１８（Ａ）は、第２実施の形態に用いられている支持部材の挿入軸部側端面図である。図１８（Ｂ）は、同実施の形態に用いられている操作ユニットを、押し釦と支持部材が固定されていない状態で示す断面図である。図１８（Ｃ）は、同実施の形態に用いられている操作ユニットを押し釦と支持部材が固定された状態で示す断面図である。
【発明を実施するための形態】
【００１６】
以下、この発明を実施するための最良の形態を、図面を参照して説明する。
図１〜図１７は、この発明の第１実施の形態を示す。この実施の形態は、この発明を壁面や床面に埋設される形式のガス栓（埋設型ガス栓Ａ）に適用したものである。そこで、まず図１〜図９を参照して、埋設型ガス栓Ａについて説明する。埋設型ガス栓Ａは、収納ボックス１、ガス栓本体２、蓋体３、揺動部材（アーム４）及び操作ユニット５を主な構成要素としている。アーム４及び操作ユニット５は、ガス栓本体２に接続されたソケットＳの固定を解除する際に用いられる。
【００１７】
収納ボックス１は、前面が開口したほぼ直方体の箱状をなすものであり、開口を室内Ｉに向ける形で壁面又は床面に埋設される。図１に示すように、同図における収納ボックス１の左方の側板には、孔１１が形成されている。この孔１１を通ってガス管接続部８が収納ボックス１の外部に突出されている。図３に示すように、ガス管接続部８はボルトＢ１、Ｂ１及び図示しない収納ボックス１の雌ねじによって収納ボックス１に固定されている。ガス管接続部８には、継手７がボルトＢ２、Ｂ２により接続されている。継手７には、ガス栓本体２がボルトＢ３、Ｂ３により接続されている。ガス管接続部８には、継手７と反対側に図示しない一次側ガス管が接続される。
【００１８】
図１に示すように、ガス栓本体２には、継手７方向と直交する方向の端部に迅速継手タイプのプラグ部２１が形成されている。プラグ部２１にはソケットＳが接続される。図３に示すように、ガス栓本体２には、プラグ２１を挟んで継手７側及び継手７と反対側の位置にねじ孔２２、２２が形成され、蓋体３との固定に用いられる。図１等に示すように、ガス栓本体２には、アーム４を支える軸２５が螺合固定されている。軸２５はアーム４の軸受孔４６に挿通され、軸２５によりアーム４が揺動自在にガス栓本体２に取り付けられている。アーム４はねじりコイルばね２３により、図１において時計方向に回動付勢されている。
【００１９】
アーム４には、図２に示す操作ユニット５が取り付けられている。アーム４への操作ユニット５の取り付けは、後述するようにアーム４の取付穴４４（図１０）に操作ユニット５の取付部６１を嵌め込むことにより抜け止め状態で首振り可能に連結することによりなされる。
【００２０】
蓋体３は、図１、図４〜図８に示すように、収納ボックス１の内部を遮蔽するものであり、図４に示すように略長方形の板状をなす。蓋体３には、窓孔３３、ガイド孔３４及び透孔３５が形成されている。
窓孔３３は、ソケットＳをプラグ部２１に接続する際にソケットＳを挿通するためのものであり、図５に示すようにプラグ部２１に対向する位置に形成されている。窓孔３３の径方向外側には、ボルトＢ４、Ｂ４を挿通するための２つの透孔３５、３５が形成されている。透孔３５、３５はガス栓本体２のねじ孔２２、２２と対向する位置に形成されている。ボルトＢ４、Ｂ４が、透孔３５、３５に挿通され、ガス栓本体２のねじ孔２２、２２に螺合されることにより、蓋体３は、ガス栓本体２に固定され、ひいては収納ボックス１に固定される。
窓孔３３の周の一部に隣接して、操作ユニット５の操作部材である押し釦５１を位置決めするとともに室内Ｉに露出させるガイド孔３４が形成されている。ガイド孔３４の形状は押し釦５１の形状に対応して形成されている。
【００２１】
蓋体３には、窓孔３３、ガイド孔３４及び透孔３５を閉塞するための開閉板３１が形成されている。開閉蓋３１は矩形状をしており、蓋体３の長手方向に平行に設けられたガイドレール３２に係合されている。開閉蓋３１は、開位置（図１、図４〜図６）から閉位置（図７、８）までの間を摺動領域として摺動し、閉位置で窓孔３３、ガイド孔３４及び透孔３５を閉塞する。
【００２２】
なお、蓋体３には、開閉蓋３１の摺動領域の左右端に差し込み凹部３６、３６が形成されている。この差し込み凹部３６は、例えば人差し指の先端部を、爪を下方に向けた状態で挿入し、人差し指の先端部を開閉蓋３１に押し付けるために設けられている。人差し指を開閉蓋３１の先端部に押し付けた状態で右側の差し込み凹部３６に挿入し、人差し指を左方へ移動させることにより、開閉蓋３１を閉位置から開位置側へ摺動させることができ、左側の差し込み凹部３６から同様に人差し指を右方へ移動させることにより、開閉蓋３１を開位置から閉位置側へ摺動させることができる。差し込み凹部３６は、開閉蓋３１の摺動領域の左右端のどちらか一方にのみ設けてもよい。また、差し込み凹部３６に代え、開閉蓋３１に凸部を設けてもよい。
【００２３】
ガス栓本体２の内部には、図９に示す継手接続部２３からプラグ部２１の先端面まで延びるガス通路２４が形成されている。ガス通路２４の内部には、図示しない主弁体及び副弁体が設けられている。これらの弁は、プラグ部２１にソケットＳが接続されるとガス通路２４を開く。この結果、一次側ガス管からガス管接続部８及び継手７を経て供給されるガスがガス通路２４を通り、ソケットＳに接続された二次側ガス管を介してガス機器（いずれも図示せず）に供給される。主弁体及び副弁体は、ソケットＳをプラグ部２１から取り外すとガス通路２４を閉じる。ガス通路２４の主弁体及び副弁体による開閉構造は周知のものであるので、その詳細な構造については、その説明を省略する。ガス栓本体２の内部構造は、プラグ部２１にソケットＳを取り付けるとガス通路２４が開かれ、ソケットＳを取り外すとガス通路２４が閉じられるものである限り、他の構造であってもよい。
【００２４】
ソケットＳ（図１）とガス栓本体２との着脱について説明する。ガス栓本体２にソケットＳを接続する場合には、ソケットＳをガス栓本体２のプラグ部２１に差し込む。この場合、ソケットＳをプラグ部２１に差し込むとソケットＳとプラグ部２１とが自動的に固定され、ソケットＳがプラグ部２１から離脱不能になる。ソケットＳとプラグ部２１との固定を解除するには、ソケットＳの先端部外周に摺動自在に設けられたスリーブ（図示せず）をガス栓本体２と反対方向に移動させることにより行われる。ソケットＳとプラグ部２１との着脱構造は周知のものであるので、その詳細な構造については、その説明を省略する。
【００２５】
図１に示すように、ソケットＳがガス栓本体２に接続されている場合には、ソケットＳのスリーブによりアーム４の板部４１は、プラグ部２１の基端側に押し付けられ、ねじりコイルばね２３の回動付勢力に抗してアーム４の被押圧部４３は蓋体３のガイド孔３４側へ持ち上げられている。したがって、操作ユニット５は持ち上げられた状態にあり、操作ユニット５の押し釦５１は蓋体３のガイド孔３４から突出する。
【００２６】
ソケットＳのプラグ部２１からの取り外しは、後述するソケット取外し機構Ｍによりなされる。ソケットＳをプラグ部２１から取り外す場合には、蓋体３のガイド孔３４から突出する操作ユニット５を押す。するとプラグ部２１に近接して設けられたアーム４の板部４１がプラグ部２１の基端側から先端側へ向かって移動することにより、ソケットＳのスリーブがソケットＳの先端側から基端側へ移動する。これによって、ソケットＳとプラグ部２１の固定が解除されソケットＳがプラグ部２１から取り外し可能となる。
【００２７】
古いガス栓を新しいガス栓に取り換える際、例えば配管が鉄管の場合には、ガス管接続部８までは従来のものを継続して使用し、ガス管接続部８より先の部分に新しい継手７及びガス栓本体２を接続することになる。既存の配管や収納ボックス１が壁面や床面から奥まっていたり、浅かったりする場合がある。その場合に、新しいガス栓に取り換えると、ガス栓本体２が壁面や床面に対して奥まったり、近接したりする。ガス栓本体２が奥まると操作ユニットも奥まって押せなくなり、ガス栓本体２が近接すると操作ユニットが蓋体３のガイド孔３４から突出しすぎて、開閉蓋３１が閉まらなくなる。そこで、操作ユニットのガイド孔３４からの突出長さを調整可能なソケット取外し機構が必要になる。
【００２８】
以下、図１、図２、図５〜図８、図１０〜図１７を参照して、操作ユニット５の長さ調整可能な、プラグ部２１からソケットＳを取り外すためのソケット取外し機構Ｍについて説明する。図１に示すように、ソケット取外し機構Ｍは、揺動部材であるアーム４と操作ユニット５とを備えている。アーム４は、ガス栓本体２に揺動可能に設けられ、揺動支点である軸受孔４６の両側に被押圧部４３と作用部である板部４１を有する。操作ユニット５は、プラグ部２１の軸方向に移動可能である。ソケット取外し機構Ｍは、操作ユニット５を押し操作してアーム４の被押圧部４３を押すことにより、アーム４を揺動させ、板部４１でプラグ部２１に接続されたソケットＳを押し操作方向と反対方向に押し出すようにしたものである。
【００２９】
図１０に示すように、揺動部材であるアーム４は、平板状をなす板部４１を備えている。この板部４１の一端部には、半円状をなす切欠き４２が形成されている。この切欠き４２の内径は、ガス栓本体２のプラグ部２１に続く部分の外径より若干大きくなされている。また、板部４１の他端側には、図１０（Ｃ）において斜め上方へ向かって延びる被押圧部４３が形成されている。被押圧部４３には、操作ユニット５の支持部材６（後述）が連結されるＬ字型の取付穴４４が形成されている。取付穴４４は、図１０（Ａ）において左右に長い長孔として形成されてもよい（図３）。さらに、図１０（Ａ）における、板部４１の上下両側部の中央部には、被押圧部４３と逆側へ向かって突出する突片４５、４５が形成されている。この突片４５、４５には、軸受孔４６、４６が形成されている。
【００３０】
各突片４５の軸受孔４６が、ガス栓本体２に螺合固定された軸２５（図１、図６、図８参照）に相対回転自在に挿通されることにより、アーム４は、軸受孔４６を揺動支点としてガス栓本体２に揺動自在に取り付けられている。アーム４は、コイルばね２３により、図１、図６、図８において時計方向へ回動付勢されている。この回動付勢力により、ソケットＳが接続されていない場合には、図６、８に示すように、アーム４の被押圧部４３はガス栓本体２に押し付けられ、板部４１はプラグ部２１の先端側へ持ち上げられている。
【００３１】
図１において、軸２５はプラグ部２１の軸線と直交する方向に延びており、アーム４の切欠き４２にはガス栓本体２が入り込んでいる。切欠き４２の両側に位置する板部４１の端部は、プラグ部２１にソケットＳを接続した際に、コイルばね２３の回動付勢力により、ソケットＳのスリーブ下端面に押し付けられている。したがって、アーム４を図１において時計方向へ回動させると、板部４１の端部が作用部としてソケットＳのスリーブをソケットＳの先端側から基端側へ押圧移動させることになり、これによってソケットＳのプラグ部２１に対する固定が解除される。
【００３２】
次に、図１、図２、図１１〜図１４を参照して、ソケットＳのプラグ部２１に対する固定を解除するための操作ユニット５について説明する。アーム４を上記のように回動させて、ソケットＳのプラグ部２１に対する固定を解除するために、アーム４には、取付穴４４を介して、操作ユニット５が設けられている。操作ユニット５は、支持部材６と操作部材である押し釦５１とを備えている。支持部材６の基端部の取付部６１がアーム４の被押圧部４３に連結される。押し釦５１は、支持部材６に連結される。
図１１〜図１３に示すように、支持部材６が、プラグ部２１の軸方向に延びる軸部である、中間軸部６３及び挿入軸部６４を有している。挿入軸部６４の外周に嵌合部（嵌合突起６５）が形成されている。図１４に示すように、押し釦５１が、挿入軸部６４を挿通させる挿通孔５３を有している。挿通孔５３の内周に軸方向に間隔をおいて嵌合部（嵌合孔５２）が複数形成されている。図２に示すように、支持部材６が複数の嵌合孔５２のいずれかに選択的に嵌合されることにより、操作ユニット５の長さが調整される。
【００３３】
図１１を参照して支持部材６について説明する。支持部材６は、樹脂等の材料を射出成形することにより形成される。支持部材６には、その基端部から先端部にかけて、取付部６１、ベース部６２、中間軸部６３及び挿入軸部６４が形成されている。取付部６１は、支持部材６の基端部に逆さＴ字状をなして形成され、アーム４の取付穴４４に連結される。取付部６１の上方には、図１１（Ａ）の左右を長手方向とする矩形状のベース部６２が形成されている。ベース部６２の下面は、操作ユニット５がアーム４に取り付けられた際、アーム４の被押圧部４３に接する。よって、ソケット取外し機構Ｍにおいて、操作ユニット５が押されると、ベース部６２が被押圧部４３を押す。ベース部６２の上方には、断面円形の中間軸部６３が延びている。中間軸部６３の上方には、中間軸部６３よりも小径で断面円形の挿入軸部６４が延びている。挿入軸部６４は後述する押し釦５１の挿通孔５３に挿通される。挿入軸部６４の先端部付近には、嵌合凸部である円柱状の２つの嵌合突起６５、６５が、挿入軸部６４の断面円の中心を挟んでその径方向外側に対称に配置されている。嵌合突起６５、６５の中間軸部６３からの突出方向とベース部６２の中間軸部６３からの突出方向とは直交している。
【００３４】
図１２に示すように、ベース部６２と挿入軸部６４の間に中間軸部６３を設けず、ベース部６２の上方に挿入軸部６４を直接設けてもよい。また、図１３に示すように中間軸部６３の長さをより長くしてもよい。このようにして、長さの異なる種々の支持部材６が用意される。
【００３５】
図１４を参照して、操作部材である押し釦５１について説明する。押し釦５１は、弾性を有する樹脂等の材料を射出成形することにより形成され、直方体状の形状をなしている。押し釦５１の底面には断面円形の挿通孔５３が形成され、押し釦５１の上方に延びている。挿通孔５３の内周の形状及び大きさは、支持部材６の挿入軸部６４の外周の形状及び大きさに対応し、挿通孔５３の内周が挿入軸部６４の外周に面接触する支持面として提供される。したがって、挿入軸部６４が挿通孔５３に挿通可能であるとともに挿通孔５３内で回動可能となっている。また、押し釦５１を支持部材６に安定して支持することができる。
【００３６】
挿通孔５３の内周には、挿通孔５３の軸方向に間隔をおいて、周方向に細長い長穴状の嵌合部である嵌合孔５２が嵌合凹部として形成されている。各嵌合孔５２は、挿通孔５３から押し釦５１の正面又は背面まで貫通して形成されている。この例では、嵌合孔５２は、押し釦５１の正面側に４つ形成され、押し釦５１の背面側に４つ形成されている。挿通孔５３の軸方向における、正面側の上から１段目から４段目までの各嵌合孔５２の位置と背面側の上から１段目から４段目までの各嵌合孔５２の位置は、それぞれ一致している。
【００３７】
長穴状の嵌合孔５２には、その長手方向の中間部に上下から張り出す２つの突出部５７、５７が形成され、突出部５７、５７により狭まった部分に狭小部５７ａが形成されている。したがって、嵌合孔５２は、長穴の中間部が狭まってくびれた瓢箪型の形状をしている。嵌合孔５２には、狭小部５７ａに隣接して、支持部材６の嵌合突起６５を固定する固定部５８が形成されている。
押し釦５１の背面には、内側に湾曲した湾曲部５６が形成されている。湾曲部５６の湾曲形状は、プラグ部２１に接続されるソケットＳの外周に対応しており、接続されたソケットＳの逃げとして機能する。湾曲部５６にソケットＳの外周の一部が納まるため収納ボックス１内の狭い空間を有効に利用できる。
【００３８】
図１４（Ｃ）に示すように、挿通孔５３には、周方向に１８０°離間して、逃げ凹部である２つの切欠き部５４、５４が形成されている。切欠き部５４、５４は、押し釦５１の正面側及び背面側から突出した突起５５、５５によって規定される。突起５５、５５は、それぞれ嵌合孔５２の長手方向で固定部５８の延長上の位置あたりから突出している。切欠き部５４、５４は挿通孔５３の軸方向に延びるとともに各嵌合孔５２に連なっている。切欠き部５４、５４は、嵌合突起６５、６５を逃がすことにより支持部材６の前記挿通孔５３への挿通を可能とするとともに、支持部材６の回動方向を規制する。
【００３９】
挿通孔５３に支持部材６が挿通される際、この切欠き部５４、５４には、挿入軸部６４の嵌合突起６５、６５が配置される。即ち、切欠き部５４、５４により支持部材６を挿通する際の支持部材６の初期位置が決まる。この状態で、支持部材６は挿通孔５３の軸方向に移動可能であるとともに、突起５５、５５によりその突出方向と反対方向への回動が規制される。この時の支持部材６に対する押し釦５１の回動位置を第１回動位置とする。
【００４０】
図１５を参照して、押し釦５１と支持部材６の固定について説明する。図１５は、嵌合突起６５と嵌合孔５２との嵌合が外れた状態を示している。上述した第１回動位置にある押し釦５１は支持部材６に対して軸方向に移動し、支持部材６の嵌合突起６５は最上段の嵌合孔５２の位置にある。この状態で、支持部材６を図１５（Ｂ）の矢印方向に回動させるか、押し釦５１をその矢印と反対方向に回動させると、嵌合突起６５が嵌合孔５２内に進入し、突出部５７、５７により形成された狭小部５７ａを通過し、固定部５８に嵌合され、押し釦５１と支持部材６は固定される。この時、即ち、嵌合凸部である嵌合突起６５が嵌合凹部である嵌合孔５２に嵌合された時の支持部材６に対する押し釦５１の回動位置を第２回動位置とする。押し釦５１と支持部材６が固定された状態を図１６に示す。
【００４１】
上記構成においては、嵌合突起６５を軸方向に複数ある嵌合孔５２に選択的に嵌合させることにより、操作ユニット５の長さを簡易に短時間で変えることができる。操作ユニット５の長さを変えるには、嵌合突起６５を適当な嵌合孔５２の位置に合わせ、押し釦５１を第１回動位置から第２回動位置まで回動させるだけでよい。
狭小部５７ａは嵌合突起６５の径より狭い。狭小部５７ａを形成する突出部５７、５７の存在により、嵌合突起６５を固定部５８にしっかりと固定することができ、押し釦５１が回転し難くなる。また、固定部５８に嵌合された嵌合突起６５は不用意に固定解除方向に回ることがなく、不用意な押し釦５１の取り外しを防止することができる。
また、押し釦５１を支持部材６に固定する際、嵌合突起６５が狭小部５７ａを通過する前後に、押し釦５１の嵌合孔５２は弾性変形するので操作者はクリック感をもって押し釦５１が支持部材６に固定されたことを知ることができる。
【００４２】
図１６を参照して、押し釦５１と支持部材６の固定解除について説明する。押し釦５１は上述した第２回動位置にあり、嵌合突起６５と嵌合孔５２は嵌合されている。この状態から、支持部材６を図１６（Ｂ）の矢印方向に回動させるか、押し釦５１をその矢印と反対方向に回動させると、嵌合突起６５と固定部５８との嵌合が外れ、嵌合突起６５は、突出部５７、５７により形成された狭小部５７ａを通過し、嵌合孔５２内を移動し、上述した第１回動位置まで移動する。この位置では、押し釦５１は支持部材６に対して軸方向に移動可能であり、押し釦５１を支持部材６から取り外すことができる。
【００４３】
上記構成においては、押し釦５１と支持部材６の固定を解除する際、嵌合突起６５が狭小部５７ａを通過する前後に、押し釦５１の嵌合孔５２は弾性変形するので操作者はクリック感をもって押し釦５１と支持部材６の固定が解除されたことを知ることができる。
【００４４】
図１７を参照して、アーム４への操作ユニット５の連結について説明する。押し釦５１の湾曲部５６をアーム４の切欠き４２に正対させた状態から、図１７（Ａ）の矢印Ｃ方向に操作ユニット５を回動させ、Ｌ字型の取付穴４４の曲り目に逆さＴ字状の取付部６１を位置させ、差し込む。取付穴４４の形状が図１７において左右に長い長孔である場合（図３）には、操作ユニット５を矢印Ｃ方向に９０°近く回動させる必要がある。取付穴４４がＬ字型の場合は長孔の場合より操作ユニット５の矢印Ｃ方向への回動を小さくすることができる。
【００４５】
取付部６１が取付穴４４に差し込まれた状態で、操作ユニット５を図１７（Ｂ）の矢印Ｄ方向に回動させて、湾曲部５６と切欠き４２が正対する状態に戻しながら、矢印Ｅ方向に移動させて、操作ユニット５が蓋体３のガイド孔３４によって位置決めされる位置まで移動させる。この位置で、支持部材６（図１１（Ａ）、図１２、図１３）の逆さＴ字状の取付部６１の腕の長さ（Ｔの横棒の部分の長さ）及びベース部６２の長手方向の長さは、アーム４の取付穴４４の幅より大きい。したがって、操作ユニット５は、アーム４に抜け止め状態で連結されている。また、逆さＴ字状の取付部６１の胴の太さ（Ｔの縦棒の部分の太さ）は、アーム４の取付穴４４の幅より小さい。したがって、操作ユニット５は、アーム４に首振り可能に連結されている。
【００４６】
図１、図５〜図８に示すように収納ボックス１を蓋体３によって遮蔽する際、操作ユニット５の押し釦５１の位置を微調整してガイド孔３４の位置に合わせる。操作ユニット５はガイド孔３４から露出するとともに、ガイド孔３４により位置決めされ、回り止めされる。したがって、操作ユニット５は上下方向にのみ移動可能となる。
【００４７】
操作ユニット５の長さは、最適な長さに調整する必要がある。図１に示すように、収納ボックス１を蓋体３で遮蔽してソケットＳを接続した時、操作ユニット５を押すことができるように押し釦５１がガイド孔３４から突出している必要がある。同時に、図６、図８に示すように、ソケットＳを取り外した時、開閉蓋３１を開閉できるようにガイド孔３４から突出した押し釦５１が開閉蓋３１を遮らない必要がある。
【００４８】
図２、１４において、操作ユニット５の長さを最適な長さに調整するため、例えば、挿通孔５３の軸方向における４つの嵌合孔５２の設置間隔を４〜５ｍｍ程度に設定する。
押し釦５１と支持部材６の接続位置の変更により、操作ユニット５の全長を４段階に切り替えることができる。既設の配管に新しいガス栓を取り換えた場合、ガス栓本体２が奥まっていても近接していても対応することができ操作ユニット５の操作性が向上する。また、ガス栓本体２がさらに奥まって設置されている場合にも対応するため、全長のより長い支持部材６、さらに長い支持部材６を用意すれば、操作ユニット５の全長を１２段階に切り替えることができる（図１１〜１４）。
壁面や床面からのガス栓本体２の深さに対して、予め押し釦５１の嵌合孔５２（本実施の形態では４段階になっている）のいずれかと使用する支持部材６との組み合わせを定めておけば、より効率的に操作ユニット５の長さを調整できる。
上記構成においては、螺合度合の調整を必要とすることなく、押し釦５１の突出長さの調整が簡易に短時間でできる。
【００４９】
次に、この発明の他の実施の形態について説明する。なお、以下に述べる第２実施の形態については、上記実施の形態と異なる構成だけを説明することとし、同様な構成部分には同一符号を付してその説明を省略する。
【００５０】
図１８は、この発明のソケット取外し機構に用いられる操作ユニットの他の例を示すものである。図１８（Ａ）は、支持部材６の挿入軸部６４の端面図である。図１８（Ｂ）、（Ｃ）は、支持部材６の挿入軸部６４を挿通孔５３に挿入させた状態の押し釦５１の断面図である。この実施の形態では、操作部材である押し釦５１の挿通孔５３の内周に嵌合部（嵌合突起５９）が形成され、支持部材６の挿入軸部６４の外周に軸方向に間隔をおいて嵌合部（嵌合溝６６）が複数形成されている。本実施の形態では、嵌合凸部である嵌合突起５９は、周方向に１８０°離間して２つ形成されるとともに、嵌合凹部である嵌合溝６６が周方向に１８０°離間して２つ形成されている。嵌合突起５９が、挿入軸部６４の軸方向に複数形成された嵌合溝６６のいずれかに選択的に嵌合されることにより、操作ユニット５の長さが調整される。
【００５１】
嵌合溝６６が形成された挿入軸部６４の外周には、逃げ凹部である平坦部６７が形成され、軸方向に延びるとともに周方向の嵌合溝６６に連なっている。嵌合溝６６には、押し釦５１の挿通孔５３に形成された嵌合突起５９を固定する固定部６８が形成されている。固定部６８には、後述する固定凸部５９ａと嵌合する固定凹部６９が形成されている。
【００５２】
図１８（Ｂ）、（Ｃ）に示すように、押し釦５１の挿通孔５３には、軸方向のいずれかの箇所に嵌合凸部である２つの嵌合突起５９、５９が挿通孔５３の断面円の中心を挟んでその径方向内側に対称に形成されている。嵌合突起５９には、嵌合溝６６の固定部６８の固定凹部６９と嵌合する固定凸部５９ａが形成されている。
【００５３】
押し釦５１と支持部材６の固定について説明する。図１８（Ｂ）に示すように、挿通孔５３に支持部材６が挿通される際、平坦部６７、６７には、挿入孔５３の嵌合突起５９、５９が配置される。平坦部６７、６７により挿通孔５３に挿入する際の押し釦５１の初期位置が決まる。この状態で、押し釦５１は支持部材６の軸方向に移動可能であるとともに、嵌合溝６６方向にのみ回動可能である。この時の支持部材６に対する押し釦５１の回動位置を第１回動位置とする。
【００５４】
図１８（Ｂ）は、嵌合突起５９と嵌合溝６６との嵌合が外れている状態を示している。上述した第１回動位置にある押し釦５１は支持部材６に対して軸方向に移動可能で、押し釦５１の嵌合突起５９、５９は、挿入軸部６４の軸方向に複数あるうちのいずれかの嵌合溝６６、６６の位置にある。この状態で、支持部材６を時計周りに回動させるか、押し釦５１を反時計回りに回動させると、嵌合突起５９が嵌合溝６６内に進入し、図１８（Ｃ）にしめすように、固定凸部５９ａと固定凹部６９が嵌合することにより、嵌合突起５９は固定部６８に固定され、ひいては押し釦５１と支持部材６は固定される。この時、即ち、嵌合凸部である嵌合突起５９が嵌合凹部である嵌合溝６６に嵌合された時の支持部材６に対する押し釦５１の回動位置を第２回動位置とする。
【００５５】
上記構成においては、嵌合突起５９を軸方向に複数ある嵌合溝６６に選択的に嵌合させることにより、操作ユニット５の長さを簡易に短時間で変えることができる。操作ユニット５の長さを変えるには、嵌合突起５９を適当な嵌合溝６６の位置に合わせ、押し釦５１を第１回動位置から第２回動位置まで回動させるだけでよい。
固定凸部５９ａと固定凹部６９により、嵌合突起５９を固定部６８にしっかりと固定することができる。また、固定部６８に嵌合された嵌合突起５９は不用意に固定解除方向に回ることがなく、不用意な押し釦５１の取り外しを防止することができる。
また、押し釦５１を支持部材６に固定又は固定解除する場合に、固定凸部５９ａが固定凹部６９に嵌合又は嵌合解除する際、押し釦５１の嵌合突起５９は双方は弾性変形するので操作者はクリック感をもって押し釦５１が支持部材６に固定又は固定解除されたことを知ることができる。
【００５６】
本発明は、上記実施例に制約されず、種々の態様を採用することができる。
第１実施形態において、嵌合突起６５を挿入軸部６４の周方向に２つ、嵌合孔５２を押し釦５１の挿通孔５３の周方向に２つ、それぞれ形成したが、嵌合突起６５及び嵌合孔５２は、それぞれ周方向に１つ形成してもよく、３つ以上形成してもよい。これらに対応して切欠き部５４は、１つでもよく、３つ以上形成してもよい。
押し釦５１の挿通孔５３の軸方向に嵌合孔５２を４段形成したが、５段以上でもよく、３段以下でもよい。
嵌合孔５２は、挿通孔５３から押し釦５１の正面又は背面まで貫通して形成したが、貫通させなくてもよい。
嵌合孔５２に狭小部５７ａを形成するため、突出部５７が２つ形成されているが、１つでもよい。
嵌合孔５２の形状は上記実施形態の瓢箪型の他、嵌合孔５２に突出部５７を形成せず、楕円、長円等であってもよい。
【００５７】
第２実施形態において、嵌合突起５９を押し釦５１の挿通孔５３の周方向に２つ、嵌合溝６６を挿入軸部６４の周方向に２つ、それぞれ形成したが、嵌合突起５９及び嵌合溝６６は、それぞれ周方向に１つ形成してもよく、３つ以上形成してもよい。これらに対応して平坦部６７は、１つでもよく、３つ以上形成してもよい。
【００５８】
操作部材に軸部が形成され、支持部材に挿通孔が形成されていてもよい。  
上記実施の形態では、支持部材６をアーム４の被押圧部４３に連結させているが、当接させてもよい。
嵌合凸部を軸部又は挿通孔にその軸方向に複数設けてもよく、その場合、嵌合凹部は嵌合凸部より多く設ければよい。
【産業上の利用可能性】
【００５９】
本発明は、壁面や床面に設置された埋設型ガス栓に適用することができる。
【符号の説明】
【００６０】
Ｉ  室内
Ａ  埋設型ガス栓
Ｍ  ソケット取外し機構
Ｓ  ソケット
１  収納ボックス
２  ガス栓本体
２１  プラグ部
２５  軸（揺動支点）
３  蓋体
３１  開閉蓋
４  アーム（揺動部材）
４１  板部（作用部）
４３  被押圧部
４６  軸受孔（揺動支点）
５  操作ユニット
５１  押し釦（操作部材）
５２  嵌合孔（嵌合部、嵌合凹部）
５３  挿通孔
５４  切欠き部（逃げ凹部）
５５  突起
５７  突出部
５７ａ  狭小部
５８  固定部（終端部）
５９  嵌合突起（嵌合部、嵌合凸部）
５９ａ  固定凸部
６  支持部材
６１  取付部（基端部）
６４  挿入軸部
６５  嵌合突起（嵌合部、嵌合凸部）
６６  嵌合溝（嵌合部、嵌合凹部）
６７  平坦部（逃げ凹部）
６８  固定部（終端部）
６９  固定凹部
【図１】
0006470513.tif 000002
【図２】
0006470513.tif 000003
【図３】
0006470513.tif 000004
【図４】
0006470513.tif 000005
【図５】
0006470513.tif 000006
【図６】
0006470513.tif 000007
【図７】
0006470513.tif 000008
【図８】
0006470513.tif 000009
【図９】
0006470513.tif 000010
【図１０】
0006470513.tif 000011
【図１１】
0006470513.tif 000012
【図１２】
0006470513.tif 000013
【図１３】
0006470513.tif 000014
【図１４】
0006470513.tif 000015
【図１５】
0006470513.tif 000016
【図１６】
0006470513.tif 000017
【図１７】
0006470513.tif 000018
【図１８】
0006470513.tif 000019